(57)【要約】浮力体ベース、円筒形スリーブおよび少なくとも一つのライン係合手段から成るムアリングポールライン取り付け装置が、開示される。浮力体ベースは、外側カバー、内側コイルを含み、浮力材料で満たされる。該ベースは、また、ベースを貫く中央穴を含みその穴は、円筒形スリーブを受容すること、および、ベースおよびスリーブの両方の下端が位置合せされるようにベースがスリーブに取り付けられるのに十分な直径を有する。円筒形スリーブは、装置をムアリングポール上に設置することを可能にし、ムアリングポール上をスライドすることを可能にする十分な直径の中央穴を有する円筒形構造である。装置は、ムアリングポールに置かれ、浮力により、水位の変化に従ってポール上の位置を調整する。これにより、潮位により上下するボートのためにムアリングライン取り付け点を提供し、さらに、ボートとムアリングポールとの衝突から保護する。
2008526591.tif 000002
【特許請求の範囲】
【請求項１】
浮力体ベース、円筒形スリーブおよび少なくとも一つのライン係合手段から成る、下端および上端を有するムアリングポールライン取り付け装置であって、
該浮力体ベースは、上端、下端、コアおよび中央穴を含み、該コアは、水の比重量より少ない比重量を有する浮力材料で満たされ、
該円筒形スリーブは、長さおよび外径を有し、上端、下端、外側面および内側面を含み、該内側面は、実質的になめらかで、該外側面は、複数の平行な円周方向のリングを含み、該リングは、該リング間の平行な円周方向の溝を規定し、
該ライン係合手段は、調整の手段を含み、該手段は、該円筒形スリーブの長さに沿って、一つの円周方向のリングから別の円周方向のリングに再位置され得、該装置は潮位の変化に従って上下して、ボートが固定されたムアリングポールに係留されることを可能とする、装置。
【請求項２】
前記浮力体ベースは、内側コイルを含む、請求項１に記載のムアリングポールライン取り付け装置。
【請求項３】
前記浮力体ベースの前記中央穴は、前記円筒形スリーブの外径よりも大きい直径を有し、それによって、該円筒形スリーブが該浮力体ベースの該穴内に位置することが可能になる、請求項１に記載のムアリングポールライン取り付け装置。
【請求項４】
前記内側コイルは、該内側コイルの外側面上にある平行な円周方向のリングを含む、請求項２に記載のムアリングポールライン取り付け装置。
【請求項５】
前記浮力体ベースは、水の比重量よりも小さい比重量を有する材料で満たされる、請求項１に記載のムアリングポールライン取り付け装置。
【請求項６】
水の比重量よりも小さい比重量を有する前記材料は、プラスチックフォーム材料を備える、請求項５に記載のムアリングポールライン取り付け装置。
【請求項７】
前記プラスチックフォーム材料は、ポリスチレン、塩化ポリビニル、ポリエチレン、ポリプロピレンおよびＡＢＳプラスチックを含む、熱可塑性フォームを含むグループから選択される、請求項６に記載のムアリングポールライン取り付け装置。
【請求項８】
前記プラスチックフォーム材料は、独立フォーム材料を備える、請求項７に記載のムアリングポールライン取り付け装置。
【請求項９】
前記独立プラスチックフォーム材料は、約０．１ｌｂ／ｆｔ３から約６０ｌｂ／ｆｔ３までの密度を実証する浮力体ベースの密度を実証する、請求項８に記載のムアリングポールライン取り付け装置。
【請求項１０】
前記独立プラスチックフォーム材料は、約１．５ｌｂ／ｆｔ３から約２．５ｌｂ／ｆｔ３までの密度を実証する、請求項９に記載のムアリングポールライン取り付け装置。
【請求項１１】
前記浮力体ベースは外側カバーを含む、請求項１に記載のムアリングポールライン取り付け装置。
【請求項１２】
前記浮力体ベースの前記外側カバーは、プラスチック材料から作られる、請求項１１に記載のムアリングポールライン取り付け装置。
【請求項１３】
前記外側カバーが作られる前記プラスチック材料は、ポリビニル、ポリオレフィン、ポリプロピレン、ポリエステル、ポリウレタンまたはナイロン材料を含むグループのうちから選択される、請求項１２に記載のムアリングポールライン取り付け装置。
【請求項１４】
前記浮力体ベースの前記外側カバーは、ゴムコンパウンドから作られる、請求項１１に記載のムアリングポールライン取り付け装置。
【請求項１５】
前記ゴムコンパウンドは、天然ゴムおよびニトリルゴムコンパウンドを備えるグループから選択される、請求項１４に記載のムアリングポールライン取り付け装置。
【請求項１６】
前記円筒形スリーブは、プラスチック材料から成る、請求項１に記載のムアリングポールライン取り付け装置。
【請求項１７】
前記プラスチック材料は、ＡＢＳ、ポリビニル、ポリエーテル、ポリウレタン、ポリプロピレン、ポリオレフィン、またはポリエステルプラスチックから成るグループのうちから選択される、請求項１６に記載のムアリングポールライン取り付け装置。
【請求項１８】
前記円筒形スリーブは、ゴムコンパウンドから成る、請求項１に記載のムアリングポールライン取り付け装置。
【請求項１９】
前記ゴムコンパウンドは、天然およびニトリルゴムコンパウンドから選択される、請求項１８に記載のムアリングポールライン取り付け装置。
【請求項２０】
前記ライン係合手段は、前記円筒形スリーブの前記外側面の周りに結び付けられ、選択された円周方向の溝に置かれている係合のロープを備える、請求項１に記載のムアリングポールライン取り付け装置。
【請求項２１】
前記係合ロープは、ムアリングラインの係合のための少なくとも一つの、ライン受け取りループを含む、請求項１に記載のムアリングポールライン取り付け装置。
【発明の詳細な説明】
【技術分野】
【０００１】
本明細書において開示された装置および方法は、一般に、舶用ムアリングシステム(ｍａｒｉｎｅ  ｍｏｏｒｉｎｇ  ｓｙｓｔｅｍ)に関する。より詳細には、開示された装置およびその使用方法は、ボートなどの海上のビークル（ｖｅｈｉｃｌｅ）を固定するためのムアリングポールの高度な利用法に関する。
【背景技術】
【０００２】
ボート（およびその他の海上ビークル）のムアリングポールへの係留（ｍｏｏｒｉｎｇ）は、変化する潮汐によってしばしば複雑にされることは周知である。一部の地域において、潮汐におけるそのような変化−低潮から高潮へ−は、固定されたポールおよびドックへボートを係留することが非常に困難になるほど大きく、一部の場合においては、不可能になるほど大きい。例えば、ボートは、低潮時に一つ以上のムアリングパイルに安全で妥当な量のムアリングラインで係留され得るが、潮が上昇すると、そのような係留地から危険なほど遠くに漂流する結果となるだけである。対照的に、高潮時にラインの最小の遊びでムアリングポストに確実に結びつけられたボートは、低潮が近づくと、危険なほどに傾斜され、損傷されおよび／または転覆させられ得、一つ以上のクリート（ｃｌｅａｔ）によって吊るされる状態になる。
【０００３】
特許文献１は、パイリング（ｐｉｌｉｎｇ）に取り付けられた軌道（ｔｒａｃｋ）を含むボートムアリングシステムを開示する。キャリッジ（ｃａｒｒｉａｇｅ）は軌道内を移動するように取り付けられ、伸長したロッドはキャリッジに接続される。浮きはロッドの低いほうの末端に取り付けられ、全体のアセンブリが上下に動けるようにする。可動（垂直に）キャリッジに付けられたムアリングリングは、取り付けポイント（リング）の高さが潮に関連した水位の変化に従うので、ボートが安全な距離でパイルに結びつけられるようにする。しかしながら、特許文献１において開示された上記機構は、比較的に複雑で、海の環境に接触する小さな可動部品を含み、このため、破片、腐食、極端な温度などの環境上の要因による機構の故障を受けやすい。
【０００４】
特許文献２（「０１６特許」）は、ボートをムアリングポールに固定するために利用されるドックポールバンパーアセンブリを開示する。該アセンブリは、ムアリングポールに対して垂直に配置され、固定された定置の軌道を含む。可動部分は、ガイドチャネルを介して定置の軌道に係合したキャリッジ類似構造を含む。キャリッジ類似構造は、柔軟な／変形可能な材料で上塗りされる。ムアリングクリートは、キャリッジ類似構造の側面に付けられ、柔軟な／変形可能な構造の側面に対してボートの側面を直接に固定するために利用される。特許文献１に関して上に論議されるように、０１６特許は、環境上の要因による詰まりおよび／または焼付きを受けやすい比較的に複雑な部品を含む。０１６特許は、また、主題のボートがムアリングポールに直接に係留されることを要求する。
【特許文献１】米国特許第５，６０３，２８０号明細書
【特許文献２】米国特許第５，７６２，０１６号明細書
【発明の開示】
【課題を解決するための手段】
【０００５】
ここで、本発明に従った、ムアリングポールライン取り付け装置は開示され、該装置は、水位の変化と共にムアリングポール上のライン取り付けポイントの高さを連続的に調整することによって、ボートまたはその他の海上のビークルをムアリングポールへの安全な係留を提供する。さらに、本発明のムアリングポールライン取り付け装置は、ムアリングポールを、それに係留されたボートとの荒っぽい接触から保護することを提供し、一方、同時に該ボートに対する保護を与える。本発明のムアリングポールライン取り付け装置は、浮力体ベース、円筒形スリーブおよび少なくとも一つのライン係合手段から構成される。
【０００６】
浮力体ベースは、形状はチューブ状であり、外側面、および中央穴を囲み、規定する内側コアを含む。浮力体ベースの外側面は、例えば、ポリビニル、ポリオレフィン、ポリプロピレン、ポリエステル、ポリウレタンまたはナイロン複合物などの丈夫で弾力性ある外側カバーによって、有用にも覆われている。カバーは、また、天然または合成（例えば、ニトリル）のゴムコンパウンドから作られ得る。カバーは、一つ以上のセクションから作られ、浮力体ベースの外側面に結び付けられ（または、取り付けられ）得る。ベースカバーは、ベースカバーの下端から上端に延びる。しかしながら、ベースの中央穴は、ベースカバーの上端および下端の両方において開いている。浮力体ベースの内側コアは、コア内に位置する円周方向のポリエチレン、ポリビニル、またはポリエステルの空洞のチューブから成る内部コイルを有用にも含み得る。さらに、浮力体ベースのコアは、例えば、ポリスチレン、ポリ（塩化ビニル）（ＰＶＣ）、ポリオレフィン（ポリエチレンおよびポリプロピレン）またはＡＢＳフォームなどの、例えば、熱可塑性フォームなどの浮力材料で満たされる。また、浮力材料は、例えば、ポリウレタン（ウレタンとも呼ばれる）、フェノール・ホルムアルデヒド（フェノリック）、ユリア・ホルムアルデヒドおよびエポキシフォームなどの熱硬化性フォームを備え得る。
【０００７】
浮力材料として、独立気泡(ｃｌｏｓｅｄ−ｃｅｌｌ)の、堅い、低密度フォームを選択することは、そのようなフォームは、一般に、良好な浮力特性を実証するので、特に有利である。独立気泡において、各気泡は個々のフロートとして働く。プラスチックフォームの初期浮力係数は、プラスチックフォームが浮く液体（この場合は水）の密度からフォームの密度を減じたものに等しい。例えば、１立方フィート当たり２ポンド（２ｌｂ／ｆｔ３）の密度を有する１立方フィートのプラスチックは、６０．５ｌｂ／ｆｔ３［６２．５ｌｂ／ｆｔ３（水の密度）−２．０ｌｂ／ｆｔ３］に等しい荷重を支持する。もちろん、プラスチックフォームが水を吸収すると、フォームの密度は増加し、フォーム浮力は本質的に減少する。従って、独立気泡フォームを浮力体ベース内の浮力材料として利用することは有利である。水の比重量より小さい比重量、または水の密度（１立方フィート当たり６２．５ポンド）より小さい密度を示す任意の独立気泡フォームは、浮力を示す。しかしながら、浮力体ベース内の浮力フォーム材料は約０．１ｌｂ／ｆｔ３から約６０ｌｂ／ｆｔ３の密度を実証することが好適である。約１．５ｌｂ／ｆｔ３から約２．５ｌｂ／ｆｔ３の密度を有するそのようなフォームが選択されることは、さらに好適である。
【０００８】
上記のとおり、浮力体ベースは、実質的にチューブ状の、またはよりうまく記述され得ると、内側穴を含む「ドーナツ類似」の形状を規定する。浮力体ベースの内側穴は、装置の円筒形スリーブの下端に取り付けられる。円筒形スリーブは、外側面および中央穴を規定する内側面を有する空洞のチューブ状構造から成る。円筒形スリーブの外側面は、その外周に配置された複数の連続する平行な環状リングを含むように形作られ、構成される。より詳細には、スリーブの外側面は、本明細書において総称的に環状リングと呼ぶリング間に溝を有する平行な円周方向のリングを含む。対照的に、円筒形スリーブの内側面は、比較的なめらかな表面を規定する。円筒形スリーブは、例えば、ＡＢＳ、ポリビニル、ポリエーテル、ポリウレタン、ポリプロピレン、ポリオレフィン、またはポリエステルプラスチックなどの任意の舶用品質材料から作られ得る。スリーブは、また、天然ゴムまたは、例えば、ニトリルゴムなどの合成ゴムからも作られ得る。円筒形スリーブは、下端（本明細書では「近位端（ｐｒｏｘｉｍａｌ）」ともいう）および上端（本明細書では「遠位端（ｄｉｓｔａｌ）」ともいう）を含む。スリーブの下端および浮力体ベースの内側穴の直径は、円柱形スリーブの外側面がベースの中央穴に一致し、それによって、装置の組み立て時に、例えば、上記ポリスチレンコア材料をベースに注入し、硬化することによって、ベースをチューブの近位端へ固定することを容易にするように、特に構成される（より詳細は以下に論議される）。
【０００９】
円筒形スリーブのなめらかな内側面（および円筒形スリーブによって規定された中央穴）は、装置（ベースに取り付けられたシリンダ付き）がムアリングポールの上を容易にスライド可能であるように特に寸法を合わせられ、構成される内径を実証する。円筒形スリーブのなめらかな内側面は、装置の近位端（下端）から遠位端（上端）にまで延び、それによって、装置全体が、ムアリングポールの上に置かれ、上下にスライドすることを可能にする。
【００１０】
円柱形スリーブの外周の溝は、二つの異なる目的に役立つ。ムアリングポール装置の組み立て時に、スリーブの下部の外側面は、ベースの内側コアへのフォームの注入の前に、浮力体ベースセクションの中央穴を通って通過される。組み立て工程のこの時点において、浮力体ベースは、上記の外側カバー、内側円周方向コイル巻きチューブ（円柱形スリーブに似ているが、直径がより小さい）を含む。ベース内のコイル巻きチューブは、スリーブがベース内にフィットし、スリーブの近位端（下端）と実質的に同一平面であることを可能にするように十分な寸法の中央穴を規定する。内側コイルの外側面は、複数の環状リング（または、平行な円周方向のリングおよび溝とも呼ばれ得る）を有用にも含む。本発明のある好適な実施形態において、ポリスチレン（またはその他の適切な浮力のある）フォームは、ベースに有用にも注入され、ベースおよびスリーブの外側の環状リングの両方を満たし、それによってそれらを効果的に互いに取り付けられる。
【００１１】
本装置の環状リングは、また、種々のサイズおよび乾舷寸法のボートに適合するために、変動する高さ（水位に関して）のラインつなぎポイントを提供する。例えば、以下により詳細に示されるように、本発明の装置は、選択された環状の溝の周りに円周方向につながれた調整可能ロープから成るライン係合手段を含み得る。調整可能ロープは、一つ以上のループを含むように構成され得、そのループをボートを固定するためにムアリングラインが通過する。調整可能ロープは、上記の様々なボート寸法に適合するために外側のスリーブに沿って位置する選択された円周状の溝の中で上または下に動くことを可能にするように結び付けられる。ムアリングラインは、任意の選択された平行な円周状の外周の溝の周りに直接につながれ得る。そのような場合には、上記の調整可能ロープ（およびその上のループ）は、ユーティリティとしておよび／または緊急つかみハンドルとして利用され得、該緊急つかみハンドルは、水中の個人の助けとなるか、または上に論議されたように、スリーブの周りにラインを取り付けるボート乗員のために臨時のつかみハンドルを提供することにおいて助けとなる。円筒形スリーブは、様々な乾舷高さのボートに適合可能にするために（および、適切なムアリングのために円周状の溝の高さの範囲を提供するために）、円筒形スリーブは、長さが約３フィートから約１０フィートであることが好適である。スリーブは、長さが約４フィートから約８フィートであることがさらに好適である。
【００１２】
装置は、ポール上でムアリングラインが高い状態で乾燥することが可能なように、装置の上部の近くに取り付けられた、例えば、簡易なベルクロ（ｖｅｌｃｒｏ）またはスナップロックナイロンストラップなどの、ムアリングライン保管装置をオプションで含み得る。
【００１３】
本発明の好適な実施形態は、ボートをムアリングポールに係留する方法を提供し、該方法において、ボートおよびムアリングポールの両方は、互いの間での衝突による損傷から保護される。さらに、該方法は、潮位（水位）の変化に従ってムアリングポール上のムアリングライン固定ポイントの連続的な調整を提供することによって、潮位（水位）の変化を補償するための手段を提供する。本発明の方法の好適な実施形態において、上記ムアリングポール装置は、該装置をムアリングポールに取り付けることによって、使用のために用意される。より詳細には、装置の近位端（下端）に隣接した中央穴は、選択されたムアリングポールに対して位置合せされ、その後、全装置は、ムアリングポール上をスライドダウンされる（装置の中央穴は、そのようなポールの周りにフィットするように構成される）。装置の浮力体ベースがポールを囲む水に接触し次第、装置は浮き始める。その後、係留される海上ビークルの乾舷高さに従って、上記調整可能なロープの設置のために環状リングが選択される。その後、ムアリングラインは、調整可能ロープに取り付けられ得る。本発明の方法を実施することにおいて、潮位が変化するときには、装置は、そのような変化に適合するために上下する。しかしながら、本発明の環状リング（つなぎポイント）およびクリートに係合されたボートの位置の相対的垂直位置は、変化しない。従って、ボートが固定パイリングに係留され、パイリングは水の下の地面（または海底）の中に打ち込まれているので変化する潮と共に上下しないとき、潮の変化は、ムアリングライン、ボートまたはパイリングにいかなる応力やひずみも結果として生じない。さらに、ふくらんだ浮力体ベースおよび円筒形スリーブは、スリーブが水線の上のポールを円周状に覆うという事実から、ボートとパイリングの両方を互いの衝突から保護することにおいて非常に効果的である。
【発明を実施するための最良の形態】
【００１４】
図１から図８は、本発明のムアリング装置の好適な実施形態を例示する。上記のとおり、本発明のムアリングポールライン取り付け装置は、浮力体ベース２、円筒形スリーブ４および少なくとも一つのライン係合手段６から構成される。浮力体ベースは、上端８（遠位端）および下端１０（近位端）を含む。ベースは、かなりふくらんだチューブ状の形状（「ドーナツ形」）として構成され、外側面１２および内側コア１４を含む。内側コアは、浮力材料１６、内側コイル１８で満たされ、中央穴２０を含み、中央穴２０は、本明細書および特許請求の範囲の全体を通して同等の意味で「内側穴」とも呼ばれる。
【００１５】
浮力体ベースの外側面１２は、例えば、ポリビニル、ポリエステルまたはナイロンなどの海上使用に適した丈夫で弾力性あるカバー２２によって有用にもカバーされ、天然ゴムまたはニトリルゴム組成が利用され得る。しかしながら、浮力体ベースの上端および下端の両方は、中央穴２０と連続する中央開口部を含む。
【００１６】
カバー２２は、一つ以上のセクションから作られ、浮力体ベース２の外側面１２に結び付けられ２８（または、さもなければ取り付けられ）得る。浮力体ベース２の内側コア１４は、内側コイル２８を含む。内側コイルは、内側面３０および外側面３２を有する円筒形スリーブに対して円周状に位置合せされた中空のチューブを備える。内側コイルの外側面は、浮力体ベースの円筒形スリーブへの固定を強化するために、それらの間に複数の平行な円周方向のリングおよび平行な溝を有用にも含む。従って、アセンブリされるとき、内側コイルの円周方向の溝およびリング（本明細書および特許請求の範囲内の全体を通して、「環状リング」とも呼ばれる）は、浮力体ベースによって囲まれたスリーブの長さに沿って、円筒形スリーブの円周方向のリング４４および溝４６（総称的に、「環状リング」とも呼ばれる）に隣接し、垂直で、平行である。
【００１７】
浮力体ベースの内部コア１４は、水の密度よりも小さい密度（および従って比重量）を有する浮力材料１６−硬化フォーム材料など−で実質的に満たされる。そのような浮力材料は、約０．１ｌｂ／ｆｔ３から約６０ｌｂ／ｆｔ３までの比重量を実証することは好適である。しかしながら、そのようなフォームは、約１．５ｌｂ／ｆｔ３から約２．５ｌｂ／ｆｔ３までの密度を有するように選択されることはさらに好適である。さらに、性質上耐吸水性のある独立気泡フォームを選択することが非常に有用である。浮力体ベースをフォーム材料で満たすために注入処理を利用することもまた、非常に有用である。この目的のために、注入開口部が、浮力体ベースの外側カバー内、および浮力体ベースの下端に近い円筒形スリーブ内に提供され得る。
【００１８】
上記のとおり、浮力体ベース２は、実質的にチューブ状、または、より適切に記述され得ると、中央穴２０を含み規定する「ドーナツ類似」の形状を規定する。浮力体ベースの中央穴２０は、装置の円筒形スリーブ４の中央に近い部分を囲み、浮力体ベースおよびベースに隣接した円柱形スリーブの外部表面の環状リングの両方を満たす浮力材料によって、これら二つの構造の取り付けの位置およびインタフェースとして働く。従って、浮力体ベースの内側穴は、円筒形スリーブの外径に一致するに十分な内径を実証するように選択される。浮力体ベースを円筒形スリーブに固定することは、例えば、スリーブの下端がベース１０の下端と位置合されるまで、円筒形スリーブの下端（近位端）５０を浮力体ベースの中央穴２０に最初に導入することによって、達成され得る。従って、円筒形スリーブフェースの外側面の環状リングは、浮力体ベースの内側コイルの外側面の環状リングに垂直で、隣接する。その後、浮力体ベースの下端近くの円筒形スリーブ内に位置する注入ポイント（または開口部）は、浮力材料をスリーブを通って浮力体ベースのコアへ注入することを可能にする。浮力材料は、ベースの全体のコアを実質的に満たし、該全体コアは、内側コイルの環状リング間の領域およびコアに接触する円筒形のスリーブの環状リング間の領域を含む。そのような材料の硬化は、浮力体ベースをスリーブに効果的に取り付ける。
【００１９】
上記のとおり、円筒形スリーブは、４０外側面および中央穴５２を規定する４１内側面を有する中空のチューブ状の構造として構成される。円筒形スリーブの外側面４０は、該外側面の周りに円周状に配置された複数の連続する平行なリングおよびその間の溝（本明細書および特許請求の範囲内全体において同等の意味で「環状リング」とも呼ばれる）を含むように形作られ、構成される。対照的に、円筒形スリーブの内側面４１は、比較的なめらかな表面を規定する。円筒形スリーブは、例えば、ＡＢＳ、ポリビニル、ポリエーテル、ポリウレタン、ポリプロピレン、ポリオレフィン、またはポリエステルプラスチックなどの任意の舶用品質材料から作られ得る。スリーブは、また、天然ゴムまたは、例えば、ニトリルゴムコンパウンドなどの合成ゴムからも作られ得る。
【００２０】
円筒形スリーブのなめらかな内側面（およびそれによって規定される中央穴）は、装置（ベースに取り付けられたシリンダ付き）がムアリングポール５６の上をムアリングポールに対していかなる損傷も与えないでスライド可能であるように、特に寸法を合わせられ、構成される。円筒形スリーブのなめらかな内側面は、装置の下端５８（または、近位端）から上端６０（遠位端）に延び、それによって、装置全体が、ムアリングポールの上に置かれ、ムアリングポールを上下にスライドすることが可能になる。
【００２１】
上記のとおり、円筒形スリーブの環状（または平行な円周方向）の溝は、二つの異なる目的に役立つ。上記のムアリングポール装置の組み立て時に、スリーブの外側面の下部は、浮力体ベースセクションの中央穴の上端を通過する（フォームの注入の前に）。組み立て工程のこの時点において、浮力体ベースは、上記の外側カバー、内側円周状のコイル巻きチューブ（円柱形スリーブに似ているが、直径がより小さい）を含む。ベース内のコイル巻きチューブは浮力体ベースの中央穴を規定し、スリーブがベース内で一致するようにフィットし、近位端と実質的に同一平面であることが可能になるように十分な寸法を提供する。
【００２２】
本装置の環状リングは、様々なサイズおよび乾舷寸法のボートに適合するように、様々な高さ（水位に関して）のムアリングライン結び付けポイントを提供する。そのようなボートからのムアリングラインは、利用されるボートクリートまたは結び付けポイントの相対的高さに従って、特定の円周状の溝の周りに結び付けられ得る。そのような例において、溝は、それ自体、ライン係合手段となる。さらに本発明の装置は、溝のみの他に、例えば、選択された環状溝の周りに円周状に結び付けられた調整可能係合ロープ６６のような、別のライン係合手段を含み得る。調整可能ロープは、ボートを固定するためにムアリングラインをくぐらせる一つ以上のライン係合ループ６９を含むように構成される。調整可能ロープは、上記の様々なボート寸法に適合するように外側スリーブに沿って位置する選択された溝内を上下に動くことが可能なように結び付けられる。上記のとおり、調整可能係合ロープおよびその上のループは、苦境にある個人（例えば、スイマーまたは船外に落ちた人）のための、またはボートを係留するときに助けとなるつかみハンドルとして利用され得る。
【００２３】
装置は、ポール上でムアリングラインが高い状態のままで乾燥することが可能なように、装置の上部の近くに取り付けられた、例えば、簡易なベルクロまたはスナップロックナイロンストラップ６８などのムアリングライン保管装置を、オプションで含み得る。
【図面の簡単な説明】
【００２４】
【図１】図１は、本発明のムアリングポール装置の好適な実施形態の等角図である。
【図２】図２は、ムアリングポールに取り付けられた図１に例示された装置の等角図である。
【図３】図３は、図１〜図２に例示された装置の断面図である。
【図４】図４は、ポールに取り付けられた図２に例示された装置の上面図である。
【図５】図５は、またムアリングポールに取り付けられた図１の装置の正面図である。
【図６】図６は、図１〜図２に例示された装置の断面図である。
【図７】図７は、図１に例示された装置の正面図である。
【図８】図８は、図１に例示された装置の上面図である。
【図１】
2008526591.tif 000003
【図２】
2008526591.tif 000004
【図３】
2008526591.tif 000005
【図４】
2008526591.tif 000006
【図５】
2008526591.tif 000007
【図６】
2008526591.tif 000008
【図７】
2008526591.tif 000009
【図８】
2008526591.tif 000010
【国際調査報告】
2008526591.tif 000011